(57)【要約】【課題】シートが紙以外であっても、シートを切断して巻芯を交換することが可能なシート巻取装置を提供する。【解決手段】シート巻取装置１００は、巻芯１６０の交換時に、巻取ロール１５１を駆動ドラム２から離間させるとともに、その巻取ロール１５１を回転させる移送ローラ５と、巻芯１６０の交換時に、新しい巻芯１６０を巻付位置Ｐ１に移動させることにより、シート１５０を介してその新しい巻芯１６０を駆動ドラム２に接触させる巻芯搬送部７と、巻付位置Ｐ１に新しい巻芯１６０が配置されているときに、シート１５０を切断して新しい巻芯１６０に巻き付ける切断巻付部８とを備える。切断巻付部８は、ロータリーカッターと受けローラとを含み、ロータリーカッターおよび受けローラをシート１５０の幅方向に移動させることによりシート１５０を切断するように構成されている。【選択図】図６
2017149558.tif 000002
【特許請求の範囲】
【請求項１】
シートを巻き取る巻芯を回転させる駆動ドラムと、
巻芯にシートが巻き取られることにより形成される巻取ロールを前記駆動ドラムに接触させる押付部材とを備えるシート巻取装置であって、
巻芯の交換時に、前記巻取ロールを前記駆動ドラムから離間させるとともに、その巻取ロールを回転させる移送ローラと、
巻芯の交換時に、新しい巻芯を巻付位置に移動させることにより、シートを介してその新しい巻芯を前記駆動ドラムに接触させる巻芯搬送部と、
前記巻付位置に新しい巻芯が配置されているときに、シートを切断して新しい巻芯に巻き付ける切断巻付部とを備え、
前記切断巻付部は、ロータリーカッターと、前記ロータリーカッターを受ける受けローラとを含み、前記ロータリーカッターおよび前記受けローラをシートの幅方向に移動させることによりシートを切断するように構成されていることを特徴とするシート巻取装置。
【請求項２】
請求項１に記載のシート巻取装置において、
前記巻付位置の新しい巻芯には、前記駆動ドラムから前記巻取ロールに向かうシートが巻き掛けられ、
前記巻付位置の新しい巻芯の回転中心は、前記駆動ドラムの回転中心よりも上流側に配置されていることを特徴とするシート巻取装置。
【請求項３】
請求項１または２に記載のシート巻取装置において、
前記切断巻付部は、前記ロータリーカッターおよび前記受けローラをシートの幅方向に移動させるときに、前記受けローラを駆動回転させるように構成されていることを特徴とするシート巻取装置。
【請求項４】
請求項１〜３のいずれか１つに記載のシート巻取装置において、
前記切断巻付部は、前記巻付位置の新しい巻芯にシートを押さえ付ける押さえローラを含むことを特徴とするシート巻取装置。
【請求項５】
請求項１〜４のいずれか１つに記載のシート巻取装置において、
前記切断巻付部は、前記ロータリーカッターにより切断されるシートにエアを吹き付けるエア吐出部を含むことを特徴とするシート巻取装置。
【請求項６】
請求項１〜５のいずれか１つに記載のシート巻取装置において、
前記切断巻付部は、前記巻付位置の新しい巻芯に巻き掛けられたシートを帯電させる帯電部を含むことを特徴とするシート巻取装置。
【発明の詳細な説明】
【技術分野】
【０００１】
本発明は、シート巻取装置に関する。
【背景技術】
【０００２】
従来、駆動ドラムに巻取ロールを接触させることにより、その巻取ロールを回転させてシートを巻き取るシート巻取装置が知られている（たとえば、特許文献１参照）。
【０００３】
特許文献１のシート巻取装置では、巻芯の交換時に、駆動ドラムから巻取ロールを離間させるとともに、巻取ロールが位置していた巻取位置に新しい巻芯が配置される。そして、巻取ロールを減速させることにより、駆動ドラムと新しい巻芯との間から巻取ロールに送られるシートを浮かび上がらせ、その浮かび上がった部分を駆動ドラムと新しい巻芯との間に噛み込ませることによってシートが切断される。すなわち、シートに高い張力を発生させて切断している。このようにして、シートを巻き取る巻芯が交換される。なお、このシートは紙である。
【先行技術文献】
【特許文献】
【０００４】
【特許文献１】特開平７−２５１９８４号公報
【発明の概要】
【発明が解決しようとする課題】
【０００５】
しかしながら、上記した従来のシート巻取装置では、シートが紙であるため、シートを浮かび上がらせて噛み込みにより切断することが可能であるが、たとえばシートが不織布などの切断しにくい材質であれば、シートを切断して巻芯を交換することが困難である。すなわち、シートの材質によっては上記した従来の技術を適用することが困難である。
【０００６】
本発明は、上記の課題を解決するためになされたものであり、本発明の目的は、シートが紙以外であっても、シートを切断して巻芯を交換することが可能なシート巻取装置を提供することである。
【課題を解決するための手段】
【０００７】
本発明によるシート巻取装置は、シートを巻き取る巻芯を回転させる駆動ドラムと、巻芯にシートが巻き取られることにより形成される巻取ロールを駆動ドラムに接触させる押付部材と、巻芯の交換時に、巻取ロールを駆動ドラムから離間させるとともに、その巻取ロールを回転させる移送ローラと、巻芯の交換時に、新しい巻芯を巻付位置に移動させることにより、シートを介してその新しい巻芯を駆動ドラムに接触させる巻芯搬送部と、巻付位置に新しい巻芯が配置されているときに、シートを切断して新しい巻芯に巻き付ける切断巻付部とを備える。切断巻付部は、ロータリーカッターと、ロータリーカッターを受ける受けローラとを含み、ロータリーカッターおよび受けローラをシートの幅方向に移動させることによりシートを切断するように構成されている。
【０００８】
このように構成することによって、たとえばシートが不織布などであっても、ロータリーカッターによりシートを切断して巻付位置の新しい巻芯に巻き付けることができる。したがって、シートが紙以外であっても、シートを切断して巻芯を交換することができる。
【０００９】
上記シート巻取装置において、好ましくは、巻付位置の新しい巻芯には、駆動ドラムから巻取ロールに向かうシートが巻き掛けられ、巻付位置の新しい巻芯の回転中心は、駆動ドラムの回転中心よりも上流側に配置されている。
【００１０】
上記シート巻取装置において、好ましくは、切断巻付部は、ロータリーカッターおよび受けローラをシートの幅方向に移動させるときに、受けローラを駆動回転させるように構成されている。
【００１１】
上記シート巻取装置において、好ましくは、切断巻付部は、巻付位置の新しい巻芯にシートを押さえ付ける押さえローラを含む。
【００１２】
上記シート巻取装置において、好ましくは、切断巻付部は、ロータリーカッターにより切断されるシートにエアを吹き付けるエア吐出部を含む。
【００１３】
上記シート巻取装置において、好ましくは、切断巻付部は、巻付位置の新しい巻芯に巻き掛けられたシートを帯電させる帯電部を含む。
【発明の効果】
【００１４】
本発明のシート巻取装置によれば、シートが紙以外であっても、シートを切断して巻芯を交換することができる。
【図面の簡単な説明】
【００１５】
【図１】本発明の一実施形態によるシート巻取装置の概略構成を示した図である。
【図２】図１のシート巻取装置の切断巻付部の切断部を示した図である。
【図３】図１のシート巻取装置において巻径が増大した状態を示した図である。
【図４】図３のシート巻取装置において移送ローラにより巻取ロールが下流側に移動された状態を示した図である。
【図５】図４のシート巻取装置において新しい巻芯が巻付位置に配置された状態を示した図である。
【図６】図５のシート巻取装置においてシートが切断されるときの状態を示した図である。
【図７】図６のシート巻取装置において巻取ロールが運搬車に排出された状態を示した図である。
【図８】図７のシート巻取装置において新しい巻芯がガイドレールに載置された状態を示した図である。
【発明を実施するための形態】
【００１６】
以下、本発明の一実施形態について図面を参照して説明する。
【００１７】
−構成−
まず、図１、図２および図６を参照して、本実施形態によるシート巻取装置１００の構成について説明する。このシート巻取装置１００は、駆動ドラム２に巻取ロール１５１を接触させることにより、その巻取ロール１５１を回転させてシート１５０を巻き取る、いわゆるドラムワインダである。なお、巻取ロール１５１は、巻芯１６０にシート１５０が巻き取られることにより形成され、シート１５０の巻き取りに伴いその直径（巻径）が大きくなる。
【００１８】
シート１５０は、たとえば不織布からなる帯状シートであり、上流側の製膜ライン（図示省略）からシート巻取装置１００に供給されるようになっている。なお、図１において、上流側はＹ１方向側であり、下流側はＹ２方向側である。
【００１９】
シート巻取装置１００は、図１に示すように、ガイドローラ１と、駆動ドラム２と、ガイドレール３と、押圧アーム４と、移送ローラ５と、巻芯供給部６と、巻芯搬送部７と、切断巻付部８と、運搬車９とを備えている。
【００２０】
ガイドローラ１は、シート１５０の搬送方向に沿って複数設けられている。ガイドローラ１は、上流側の製膜ラインから供給されるシート１５０を、駆動ドラム２および巻芯１６０（巻取ロール１５１）の間に案内する機能を有する。
【００２１】
駆動ドラム２は、シート１５０を巻き取る巻芯１６０を回転させるために設けられ、駆動回転可能に構成されている。駆動ドラム２は、巻取ロール１５１が接触され、その巻取ロール１５１を摩擦によって連れ回すように構成されている。具体的には、駆動ドラム２は、図１において反時計回りに回転することにより、巻取ロール１５１を時計回りに回転させるようになっている。
【００２２】
ガイドレール３は、巻芯１６０の軸方向における両端部を支持するように構成されている。このガイドレール３は、水平方向（Ｙ１およびＹ２方向）に延びるように形成され、巻取ロール１５１の直径が大きくなるにつれて下流側に移動する巻芯１６０を支持するように構成されている。また、ガイドレール３には、下流側に傾動部３１が設けられるとともに、上流側に傾動部３２が設けられている。なお、巻芯１６０の両端部には軸受（図示省略）が設けられており、巻芯１６０がガイドレール３に対して回転自在な状態で支持されている。
【００２３】
押圧アーム４は、ガイドレール３に支持される巻芯１６０を上流側に押圧するように構成されている。すなわち、押圧アーム４は、巻取ロール１５１を駆動ドラム２に接触させるために設けられている。この押圧アーム４は、回動可能に設けられており、先端が巻芯１６０の両端部に当接するようになっている。なお、押圧アーム４が巻芯１６０の軸受に当接するため、巻芯１６０が押圧アーム４に対して回転自在である。また、押圧アーム４は、本発明の「押付部材」の一例である。
【００２４】
移送ローラ５は、図６に示すように、巻芯１６０の交換時に、巻取ロール１５１を駆動ドラム２から離間させるとともに、その巻取ロール１５１を回転させるために設けられている。この移送ローラ５は、アーム５１の先端に駆動回転可能に設けられ、アーム５１は、回動可能に設けられている。そして、移送ローラ５は、巻芯１６０の交換時に、アーム５１によって回動されることにより、巻取ロール１５１に接触し、押圧アーム４の押圧力に抗して巻取ロール１５１を下流側に移動させるように構成されている。なお、移送ローラ５が巻取ロール１５１に接触する際に、移送ローラ５が駆動回転されており、駆動ドラム２から離間する巻取ロール１５１を移送ローラ５が回転させるようになっている。
【００２５】
巻芯供給部６は、巻芯搬送部７に新しい巻芯１６０を供給するために設けられている。巻芯供給部６は、マガジン６１と、スライド部材６２と、リフトアーム６３とを含んでいる。
【００２６】
マガジン６１には、複数の新しい巻芯１６０が貯留されている。このマガジン６１は、巻取ロール１５１の軸方向において、巻取ロール１５１と重ならない領域に配置されている。たとえば、マガジン６１は、図１の紙面に対して巻取ロール１５１の奥側に配置されている。なお、マガジン６１にはストッパ６１ａが設けられており、そのストッパ６１ａが回動することにより新しい巻芯１６０が１本ずつスライド部材６２に繰り出されるようになっている。
【００２７】
スライド部材６２は、マガジン６１から繰り出された新しい巻芯１６０をリフトアーム６３に搬送するために設けられている。スライド部材６２は、新しい巻芯１６０を軸方向（たとえば、図１の紙面に対する垂直方向における手前側）に移動させるように構成されている。
【００２８】
リフトアーム６３は、駆動ドラム２の下方に配置され、新しい巻芯１６０を巻芯搬送部７に受け渡すために設けられている。このリフトアーム６３は、スライド部材６２により搬送された新しい巻芯１６０を持ち上げるように構成されている。
【００２９】
巻芯搬送部７は、巻芯１６０の交換時に、新しい巻芯１６０を巻付位置Ｐ１に移動させるために設けられている。この巻芯搬送部７は、回動可能に設けられた第１アーム７１と、第１アーム７１の先端に回動可能に設けられた第２アーム７２とを含んでいる。第１アーム７１の回動中心は、駆動ドラム２の回転中心と一致している。第２アーム７２の先端には、新しい巻芯１６０を回転可能に保持するチャック７２ａ（図１参照）が設けられている。また、第２アーム７２は、シート１５０を介して新しい巻芯１６０を駆動ドラム２に押し付けるように構成されている。なお、巻付位置Ｐ１の新しい巻芯１６０の回転中心は、駆動ドラム２の回転中心よりも上流側に配置されている。
【００３０】
切断巻付部８は、巻芯１６０の交換時に、シート１５０を切断するとともに、その切断したシート１５０を巻付位置Ｐ１の新しい巻芯１６０に巻き付けるために設けられている。この切断巻付部８は、アーム８１と、切断部８２と、押さえローラ８３と、エア吐出部８４と、帯電部８５とを含んでいる。
【００３１】
アーム８１は、回動可能に構成され、切断部８２、押さえローラ８３、エア吐出部８４および帯電部８５が設けられている。
【００３２】
切断部８２は、図２に示すように、ロータリーカッター（回転丸刃）８２１および受けローラ８２２を含み、ロータリーカッター８２１および受けローラ８２２をシート１５０の幅方向（Ｘ方向）に移動させることによりシート１５０を切断するように構成されている。ロータリーカッター８２１および受けローラ８２２は、接触した状態でホルダ８２３に保持されている。すなわち、受けローラ８２２は、ロータリーカッター８２１の刃を受けるように構成されている。なお、受けローラ８２２の外周は、たとえば、いわゆるカッティングマットに用いられる材質からなる。
【００３３】
ホルダ８２３は、シート１５０の幅方向に移動可能に設けられている。このホルダ８２３は、ガイドレール８２４に係合されるとともに、ベルト８２５に連結されている。ベルト８２５は、モータ８２６の出力軸に巻き掛けられており、そのモータ８２６によって駆動されるように構成されている。
【００３４】
また、ホルダ８２３の移動方向に沿ってラック８２７が設けられ、ホルダ８２３にはラック８２７と噛合するピニオン８２８が設けられている。なお、図２では、見やすさを考慮して、ラック８２７およびピニオン８２８に形成される歯の図示を省略した。ピニオン８２８のプーリおよび受けローラ８２２のプーリにはベルト８２９が巻き掛けられている。このため、ホルダ８２３が移動するとピニオン８２８が回転され、そのピニオン８２８の回転がベルト８２９を介して受けローラ８２２に伝達される。なお、ロータリーカッター８２１は、ホルダ８２３に回転自在に支持されているため、受けローラ８２２が駆動されると連れ回されるようになっている。
【００３５】
押さえローラ８３は、図６に示すように、巻芯１６０の交換時に、巻付位置Ｐ１の新しい巻芯１６０にシート１５０を押さえ付けるために設けられている。この押さえローラ８３は、アーム８３ａに回転可能に設けられ、そのアーム８３ａは、アーム８１に回動可能に設けられている。
【００３６】
エア吐出部８４は、切断部８２によるシート１５０の切断時に、切断されるシート１５０にエアを吹き付けることにより、その切断端（シート１５０の流れ方向における上流側の切断端）を巻付位置Ｐ１の新しい巻芯１６０に巻き付けるために設けられている。エア吐出部８４は、切断部８２を挟むように一対設けられている。
【００３７】
帯電部８５は、巻芯１６０の交換時に、シート１５０を帯電させることにより、巻付位置Ｐ１の新しい巻芯１６０にシート１５０の切断端が吸着しやすくするために設けられている。
【００３８】
運搬車９は、巻き上がった巻取ロール１５１を排出するために設けられている。この運搬車９は、水平方向に移動可能に設けられている。
【００３９】
−動作−
次に、図１〜図８を参照して、本実施形態によるシート巻取装置１００の動作について説明する。
【００４０】
まず、図１に示すように、シート１５０が巻き付けられた巻芯１６０がガイドレール３に支持されるとともに、その巻芯１６０が押圧アーム４により駆動ドラム２側（上流側）に押圧される。なお、ガイドレール３および押圧アーム４は軸受（図示省略）を介して巻芯１６０に接触されており、巻芯１６０はガイドレール３および押圧アーム４に対して回転自在である。この状態で駆動ドラム２が回転されることにより、シート１５０を介して駆動ドラム２に接触する巻芯１６０が摩擦によって回転されるため、上流側の製膜ラインからガイドローラ１を介して供給されるシート１５０が巻芯１６０に巻き取られる。
【００４１】
そして、シート１５０の巻き取りに伴い巻取ロール１５１の直径が大きくなると、図３に示すように、ガイドレール３に支持される巻芯１６０が押圧アーム４の先端とともに下流側に移動される。
【００４２】
なお、巻芯供給部６では、マガジン６１から新しい巻芯１６０がスライド部材６２に繰り出される。その新しい巻芯１６０は、スライド部材６２により軸方向に移動され、リフトアーム６３に搬送される。その後、リフトアーム６３が回動されることにより、新しい巻芯１６０が持ち上げられ、巻芯搬送部７に供給される。巻芯搬送部７では、第２アーム７２のチャック７２ａにより、新しい巻芯１６０が回転可能に保持される。このとき、新しい巻芯１６０は、駆動ドラム２の下方に配置されるとともに、駆動ドラム２から離間されている。なお、その後、リフトアーム６３が下方に回動される。
【００４３】
そして、巻芯１６０の交換が開始されると、移送ローラ５が駆動回転されるとともに、移送ローラ５のアーム５１がＲ１方向に回動されることにより、図４に示すように、移送ローラ５が巻取ロール１５１に接触され、巻取ロール１５１がガイドレール３に沿って下流側に移動される。このため、巻取ロール１５１が駆動ドラム２から離間されるが、その巻取ロール１５１は移送ローラ５によって回転される。また、ガイドレール３の傾動部３２が傾動される。
【００４４】
その後、巻芯搬送部７では、第１アーム７１がＲ２方向に回動されるとともに、第２アーム７２が駆動ドラム２側に回動されることにより、図５に示すように、新しい巻芯１６０が巻付位置Ｐ１に移動される。このとき、新しい巻芯１６０はシート１５０を介して駆動ドラム２に接触されるため、駆動ドラム２により回転される。
【００４５】
また、巻付位置Ｐ１の新しい巻芯１６０には、駆動ドラム２から巻取ロール１５１に向かうシート１５０が巻き掛けられており、巻付位置Ｐ１の新しい巻芯１６０の回転中心は駆動ドラム２の回転中心よりも上流側に配置される。このため、新しい巻芯１６０に対してシート１５０が接触する角度範囲が１８０度以上になっている。なお、新しい巻芯１６０の搬送経路から退避していた傾動部３２が元の位置に戻される。
【００４６】
そして、切断巻付部８では、アーム８１がＲ３方向に回動されることにより、図６に示すように、巻付位置Ｐ１の新しい巻芯１６０から繰り出されるシート１５０の近傍に切断部８２が配置される。なお、切断部８２のホルダ８２３（図２参照）は、シート１５０の幅方向における外方に配置される。また、新しい巻芯１６０から繰り出されるシート１５０に対して、下方にロータリーカッター８２１（図２参照）が配置され、上方に受けローラ８２２（図２参照）が配置される。
【００４７】
そして、押さえローラ８３のアーム８３ａが新しい巻芯１６０側に回動されることにより、押さえローラ８３がシート１５０を介して新しい巻芯１６０に接触される。また、巻付位置Ｐ１の新しい巻芯１６０の近傍に帯電部８５が配置され、その帯電部８５により新しい巻芯１６０に巻き掛けられるシート１５０が帯電される。また、シート１５０の切断時にホルダ８２３が走行する部分に対して、シート１５０の流れ方向における上流側および下流側にエア吐出部８４が配置される。
【００４８】
次に、切断部８２では、モータ８２６（図２参照）によりベルト８２５（図２参照）が駆動されることによって、ホルダ８２３がシート１５０の幅方向に移動する。このとき、ホルダ８２３の移動に伴い、ラック８２７（図２参照）と噛合するピニオン８２８（図２参照）が回転される。このため、ピニオン８２８の回転がベルト８２９（図２参照）を介して受けローラ８２２に伝達され、受けローラ８２２が駆動回転される。したがって、受けローラ８２２によりロータリーカッター８２１が連れ回される。すなわち、ロータリーカッター８２１が回転されながら、受けローラ８２２およびロータリーカッター８２１がシート１５０の幅方向に移動する。これにより、受けローラ８２２およびロータリーカッター８２１の間にシート１５０が挟み込まれて切断される。
【００４９】
また、切断されるシート１５０にはエア吐出部８４からエアが吹き付けられており、シート１５０の切断端（シート１５０の流れ方向における上流側の切断端）が、巻付位置Ｐ１の新しい巻芯１６０と駆動ドラム２との間に送り込まれ、新しい巻芯１６０にシート１５０が巻き付けられる。なお、切断端の他方（シート１５０の流れ方向における下流側の切断端）は、巻取ロール１５１によって巻き取られる。
【００５０】
その後、図７に示すように、押圧アーム４の先端が下流側に回動されるとともに、ガイドレール３の傾動部３１が傾くことにより、巻取ロール１５１が運搬車９に排出される。また、切断巻付部８が元の位置に戻されるとともに、移送ローラ５が元の位置に戻される。運搬車９は、巻芯１６０を支持し、下流側に移動される。
【００５１】
そして、図８に示すように、巻芯搬送部７の第１アーム７１が回動されることにより、新しい巻芯１６０がガイドレール３に載置される。その後、押圧アーム４が回動されることにより、押圧アーム４により新しい巻芯１６０が駆動ドラム２側に押圧される。なお、押圧アーム４により新しい巻芯１６０が駆動ドラム２側に押圧されるまでの間は、巻芯搬送部７の第２アーム７２により新しい巻芯１６０が駆動ドラム２側に押圧される。その後、第２アーム７２のチャック７２ａ（図１参照）による新しい巻芯１６０の保持が解除され、第１アーム７１が元の位置に戻される。
【００５２】
以上の動作が繰り返し行われることにより、巻芯１６０の交換を行いながら、シート１５０が連続的に巻き取られる。すなわち、シート１５０の巻き取りを中断することなく、巻芯１６０を交換することが可能である。
【００５３】
−効果−
本実施形態では、上記のように、巻芯１６０を回転させる駆動ドラム２と、巻取ロール１５１を駆動ドラム２に接触させる押圧アーム４と、巻芯１６０の交換時に、巻取ロール１５１を駆動ドラム２から離間させるとともに、その巻取ロール１５１を回転させる移送ローラ５と、巻芯１６０の交換時に、新しい巻芯１６０を巻付位置Ｐ１に移動させることにより、シート１５０を介してその新しい巻芯１６０を駆動ドラム２に接触させる巻芯搬送部７と、巻付位置Ｐ１に新しい巻芯１６０が配置されているときに、シート１５０を切断して新しい巻芯１６０に巻き付ける切断巻付部８とを備える。切断巻付部８は、ロータリーカッター８２１と受けローラ８２２とを含み、ロータリーカッター８２１および受けローラ８２２をシート１５０の幅方向に移動させることによりシート１５０を切断するように構成されている。このように構成することによって、シート１５０が不織布であっても、ロータリーカッター８２１によりシート１５０を切断して巻付位置Ｐ１の新しい巻芯１６０に巻き付けることができる。したがって、シート１５０が紙以外であっても、シート１５０を切断して巻芯１６０を交換することができる。その結果、いわゆるドラムワインダであるシート巻取装置１００において、シート１５０の巻き取りを中断することなく、巻芯１６０を交換することができる。
【００５４】
また、本実施形態では、巻付位置Ｐ１の新しい巻芯１６０には、駆動ドラム２から巻取ロール１５１に向かうシート１５０が巻き掛けられ、巻付位置Ｐ１の新しい巻芯１６０の回転中心が駆動ドラム２の回転中心よりも上流側に配置されることによって、新しい巻芯１６０に対してシート１５０が接触する角度範囲を広くすることができるので、切断されたシート１５０を新しい巻芯１６０と駆動ドラム２との間に送り込みやすくすることができる。
【００５５】
また、本実施形態では、受けローラ８２２を駆動回転するとともに、ロータリーカッター８２１を受けローラ８２２により連れ回すことによって、シート１５０をより切断しやすくすることができる。
【００５６】
また、本実施形態では、ラック８２７と噛合し、ホルダ８２３の移動によって回転するピニオン８２８を設け、ベルト８２９を介して受けローラ８２２とピニオン８２８とを連結することによって、ホルダ８２３の移動に連れて受けローラ８２２を駆動回転させることができる。
【００５７】
また、本実施形態では、巻付位置Ｐ１の新しい巻芯１６０にシート１５０を押さえ付ける押さえローラ８３を設けることによって、ロータリーカッター８２１により切断されるシート１５０を保持して安定させることができるので、切断性の向上を図ることができる。
【００５８】
また、本実施形態では、ロータリーカッター８２１により切断されるシート１５０にエアを吹き付けるエア吐出部８４を設けることによって、切断されたシート１５０を新しい巻芯１６０と駆動ドラム２との間に送り込みやすくすることができる。
【００５９】
また、本実施形態では、巻付位置Ｐ１の新しい巻芯１６０に巻き掛けられたシート１５０を帯電させる帯電部８５を設けることによって、切断されたシート１５０を新しい巻芯１６０に吸着しやすくすることができる。
【００６０】
−他の実施形態−
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味および範囲内でのすべての変更が含まれる。
【００６１】
たとえば、本実施形態では、シート１５０が不織布である例を示したが、これに限らず、シートが樹脂製であってもよい。
【００６２】
また、本実施形態において、駆動回転する受けローラ８２２の表面速度と、シート１５０の幅方向に移動するホルダ８２３の移動速度とが同じであってもよいし、駆動回転する受けローラ８２２の表面速度が、シート１５０の幅方向に移動するホルダ８２３の移動速度よりも大きくてもよい。
【符号の説明】
【００６３】
２        駆動ドラム
４        押圧アーム（押付部材）
５        移送ローラ
７        巻芯搬送部
８        切断巻付部
８３      押さえローラ
８４      エア吐出部
８５      帯電部
１００    シート巻取装置
１５０    シート
１５１    巻取ロール
１６０    巻芯
８２１    ロータリーカッター
８２２    受けローラ
【図１】
2017149558.tif 000003
【図２】
2017149558.tif 000004
【図３】
2017149558.tif 000005
【図４】
2017149558.tif 000006
【図５】
2017149558.tif 000007
【図６】
2017149558.tif 000008
【図７】
2017149558.tif 000009
【図８】
2017149558.tif 000010
【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
シートを巻き取る巻芯を回転させる駆動ドラムと、
巻芯にシートが巻き取られることにより形成される巻取ロールを前記駆動ドラムに接触させる押付部材とを備えるシート巻取装置であって、
巻芯の交換時に、前記巻取ロールを前記駆動ドラムから離間させるとともに、その巻取ロールを回転させる移送ローラと、
前記移送ローラにより前記巻取ロールが前記駆動ドラムから離間されているときに、新しい巻芯を巻付位置に移動させることにより、シートを介してその新しい巻芯を前記駆動ドラムに接触させる巻芯搬送部と、
前記巻付位置に新しい巻芯が配置されているときに、シートを切断して新しい巻芯に巻き付ける切断巻付部とを備え、
前記切断巻付部は、ロータリーカッターと、前記ロータリーカッターを受ける受けローラとを含み、前記ロータリーカッターおよび前記受けローラをシートの幅方向に移動させることによりシートを切断するように構成され、
前記巻付位置の新しい巻芯には、前記駆動ドラムから前記巻取ロールに向かうシートが巻き掛けられ、
前記巻付位置の新しい巻芯の回転中心は、前記駆動ドラムの回転中心に対して、前記巻取ロールを回転させる前記移送ローラ側とは反対側に配置されていることを特徴とするシート巻取装置。
【請求項２】
請求項１に記載のシート巻取装置において、
前記切断巻付部は、前記ロータリーカッターおよび前記受けローラをシートの幅方向に移動させるときに、前記受けローラを駆動回転させるように構成されていることを特徴とするシート巻取装置。
【請求項３】
請求項１または２に記載のシート巻取装置において、
前記切断巻付部は、前記巻付位置の新しい巻芯にシートを押さえ付ける押さえローラを含むことを特徴とするシート巻取装置。
【請求項４】
請求項１〜３のいずれか１つに記載のシート巻取装置において、
前記切断巻付部は、前記ロータリーカッターにより切断されるシートにエアを吹き付けるエア吐出部を含むことを特徴とするシート巻取装置。
【請求項５】
請求項１〜４のいずれか１つに記載のシート巻取装置において、
前記切断巻付部は、前記巻付位置の新しい巻芯に巻き掛けられたシートを帯電させる帯電部を含むことを特徴とするシート巻取装置。
【手続補正２】
【補正対象書類名】明細書
【補正対象項目名】０００７
【補正方法】変更
【補正の内容】
【０００７】
本発明によるシート巻取装置は、シートを巻き取る巻芯を回転させる駆動ドラムと、巻芯にシートが巻き取られることにより形成される巻取ロールを駆動ドラムに接触させる押付部材と、巻芯の交換時に、巻取ロールを駆動ドラムから離間させるとともに、その巻取ロールを回転させる移送ローラと、移送ローラにより巻取ロールが駆動ドラムから離間されているときに、新しい巻芯を巻付位置に移動させることにより、シートを介してその新しい巻芯を駆動ドラムに接触させる巻芯搬送部と、巻付位置に新しい巻芯が配置されているときに、シートを切断して新しい巻芯に巻き付ける切断巻付部とを備える。切断巻付部は、ロータリーカッターと、ロータリーカッターを受ける受けローラとを含み、ロータリーカッターおよび受けローラをシートの幅方向に移動させることによりシートを切断するように構成されている。巻付位置の新しい巻芯には、駆動ドラムから巻取ロールに向かうシートが巻き掛けられ、巻付位置の新しい巻芯の回転中心は、駆動ドラムの回転中心に対して、巻取ロールを回転させる移送ローラ側とは反対側に配置されている。
【手続補正３】
【補正対象書類名】明細書
【補正対象項目名】０００９
【補正方法】削除
【補正の内容】